(57)【要約】【課題】電気配線を適切に配置することが可能な遊技機の可動演出装置を提供する。【解決手段】ベース部材１３２に設けられるＬＥＤ１３３と、ベース部材１３２を覆うように設けられ、ＬＥＤ１３３と対向する面に光を拡散させるためのカット部１３４ａが形成されるレンズカバー１３４と、ベース部材１３２及びレンズカバー１３４に対して相対的に移動可能な第二可動物１４０とを具備する可動演出装置１００であって、第二可動物１４０は電気配線１６０を有し、電気配線１６０は、Ｕ字状に折り曲げられたＵ字状部１６０ａを有すると共に、第二可動物１４０の移動に伴ってＵ字状部１６０ａがベース部材１３２とレンズカバー１３４との間を移動するように配置され、Ｕ字状部１６０ａとカット部１３４ａとの間に配置される保護カバー１３５をさらに具備した。【選択図】図１９
2015051080.tif 000002
【特許請求の範囲】
【請求項１】
ベース部材と、
前記ベース部材に設けられる発光源と、
前記ベース部材の前記発光源が設けられる側を覆うように設けられ、前記発光源と対向する面に光を拡散させるためのカット部が形成されるレンズカバーと、
前記ベース部材及び前記レンズカバーに対して相対的に移動可能な可動物とを具備する遊技機の可動演出装置であって、
前記可動物は電気配線を有し、
前記電気配線は、Ｕ字状に折り曲げられたＵ字状部を有すると共に、前記可動物の移動に伴って前記Ｕ字状部が前記ベース部材と前記レンズカバーとの間を移動するように配置され、
移動する前記Ｕ字状部が前記カット部と接触しないように、前記Ｕ字状部と前記カット部との間に配置される保護カバーをさらに具備することを特徴とする遊技機の可動演出装置。
【発明の詳細な説明】
【技術分野】
【０００１】
本発明は、遊技機の可動演出装置の技術に関する。
【背景技術】
【０００２】
従来、遊技機の可動演出装置の技術は公知となっている。例えば、特許文献１に記載の如くである。
【０００３】
特許文献１には、ベース部材と、当該ベース部材に対して相対的に移動可能な可動物（可動役物）とを具備する可動演出装置（可動役物装置）が記載されている。前記可動物には発光源（ＬＥＤ）が設けられ、電気配線（フラットケーブル）を介して電力が供給される。当該電気配線は、ベース部材の内部において、前記可動物の移動方向に沿って配置されると共に、その中途部には延出方向を反転するようにＵ字状に折り曲げられたＵ字状部（反転部）が設けられる。
【０００４】
このような構成において、可動物が移動した場合には、当該可動物の移動に伴って電気配線のＵ字状部の位置が変化（移動）する。これによって、可動物が移動したとしても、電気配線が引っ張られるなどして、当該電気配線に過剰な負荷が加わることがない。
【０００５】
一方、上述のような構成において、可動物だけでなく、電気配線を内包するベース部材側にも発光源を設けて演出効果を高める構成も考えられる。このような構成とする場合、ベース部材側に電気配線だけでなく発光源も配置されることになるため、当該電気配線を如何に配置するかが問題となる。
【先行技術文献】
【特許文献】
【０００６】
【特許文献１】特開２０１２−１１０４３３号公報
【発明の概要】
【発明が解決しようとする課題】
【０００７】
本発明は以上の如き状況に鑑みてなされたものであり、その解決しようとする課題は、電気配線を適切に配置することが可能な遊技機の可動演出装置を提供することである。
【課題を解決するための手段】
【０００８】
本発明の解決しようとする課題は以上の如くであり、次にこの課題を解決するための手段を説明する。
【０００９】
即ち、請求項１においては、ベース部材と、前記ベース部材に設けられる発光源と、前記ベース部材の前記発光源が設けられる側を覆うように設けられ、前記発光源と対向する面に光を拡散させるためのカット部が形成されるレンズカバーと、前記ベース部材及び前記レンズカバーに対して相対的に移動可能な可動物とを具備する遊技機の可動演出装置であって、前記可動物は電気配線を有し、前記電気配線は、Ｕ字状に折り曲げられたＵ字状部を有すると共に、前記可動物の移動に伴って前記Ｕ字状部が前記ベース部材と前記レンズカバーとの間を移動するように配置され、移動する前記Ｕ字状部が前記カット部と接触しないように、前記Ｕ字状部と前記カット部との間に配置される保護カバーをさらに具備するものである。
【発明の効果】
【００１０】
本発明は、電気配線を適切に配置することができる、という効果を奏する。
【図面の簡単な説明】
【００１１】
【図１】パチンコ遊技機の全体的な構成を示した正面図。
【図２】同じく、窓枠が開放された状態の構成を示した斜視図。
【図３】遊技盤の構成を示した正面図。
【図４】可動演出装置の全体的な構成を示した正面図。
【図５】同じく、背面図。
【図６】主に第一可動物を示した正面図。
【図７】同じく、背面図。
【図８】（ａ）アームに設けられたフランジを示した拡大背面図。（ｂ）Ｃ−Ｃ断面模式図。
【図９】図６における第一可動物のレンズカバーを外した状態を示した正面図。
【図１０】図９における第一可動物の保護カバーを外した状態を示した正面図。
【図１１】図１０における第二可動物を外した状態を示した正面図。
【図１２】図６におけるＡ−Ａ断面模式図。
【図１３】同じく、Ｂ−Ｂ断面模式図。
【図１４】連動機構を示した背面図。
【図１５】待機状態から出現状態に移行する際の様子を示した背面図。
【図１６】同じく、フランジの移動の様子を示した背面図。
【図１７】待機状態から出現状態に移行する際の様子を示した正面図。
【図１８】同じく、第一可動物及び第二可動物を示した正面図。
【図１９】図１８におけるＤ−Ｄ断面図。
【図２０】同じく、Ｅ−Ｅ断面図。
【図２１】図１８における第一可動物のレンズカバーを外した状態を示した正面図。
【図２２】図２１における保護カバーを外した状態を示した正面図。
【図２３】可動演出装置が出現状態にある場合の遊技盤を示した正面図。
【図２４】（ａ）変形例に係る第一可動物の側面断面模式図。（ｂ）他の変形例に係る第一可動物の側面断面模式図。
【図２５】（ａ）変形例に係る第一可動物及び第二可動物の正面図。（ｂ）他の変形例に係る第一可動物及び第二可動物の正面図。
【発明を実施するための形態】
【００１２】
まず、本発明に係る遊技機の一実施形態に係るパチンコ遊技機の全体的な構成について、図面を用いて説明する。
なお、以下の説明では、パチンコ遊技機を遊技者から見て、手前側をパチンコ遊技機の前側とし、奥側をパチンコ遊技機の後側として、前後方向を規定する。また、パチンコ遊技機を遊技者から見て、左手側をパチンコ遊技機の左側とし、右手側をパチンコ遊技機の右側として、左右方向を規定する。
なお、以下の説明では、本発明に係る遊技機の一実施形態としてパチンコ遊技機を例示するが、本発明に係る遊技機はこれに限るものではなく、スロットマシン等であっても良い。
【００１３】
パチンコ遊技機は、図１から図３が示すように、主として、外枠２と、中枠３と、窓枠４と、により構成される枠体に、各種の遊技部品が取り付けられて形成される。
【００１４】
外枠２は、パチンコ遊技機の外郭を成し、前後面が開口された略四角筒状に形成される枠体である。外枠２は、パチンコホール等の遊技場に設けられた台島に設置される。外枠２には、中枠３が設けられる。
【００１５】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１６】
窓枠４は、中央が開口された略平板状に形成される枠体である。窓枠４は、正面視で中枠３の下部を除く略全面に亘って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１７】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１８】
遊技盤６は、遊技球が転動する領域である遊技領域２５が形成される部材である。遊技盤６は、窓枠４の後方であって、正面視で中枠３の下部を除く略全面に亘って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１９】
次に、遊技盤６の構成について、図３を用いてさらに詳細に説明する。
【００２０】
遊技盤６は、遊技板１０と、ガイドレール１１と、センター役物１２と、図柄表示装置１３と、可変入賞装置１４と、大入賞装置１５と、アウト口１６と、可動演出装置１００等により構成される。
【００２１】
図３に示す遊技板１０は、四隅が適宜に切り欠かれた略平板状に形成される部材である。遊技板１０には、遊技盤６を構成する各種の遊技部品が取り付けられる。遊技板１０は、アクリル樹脂やポリカーボネート（ＰＣ）等の透過性を有する透明な部材によって形成される。
【００２２】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。遊技領域２５内において、遊技板１０には図示せぬ遊技釘が植設される。発射ハンドル１８の回動操作によって遊技領域２５内に放出された遊技球は、前記遊技釘に衝突しながら当該遊技領域２５内を下方へ向けて落下（転動）する。
【００２３】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に亘って形成される孔に前方から挿入され、ボルト等によって取り付けられる。
【００２４】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２５】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２６】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００２７】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、パチンコ遊技機が設置されたパチンコホール等の遊技場側に回収される。
【００２８】
可動演出装置１００は、所定の演出動作を行うことにより、遊技者に視覚的な印象（インパクト）を与え、その遊技者の興趣を高めるものである。可動演出装置１００は、前後方向において、図柄表示装置１３（液晶画面２６）の前方かつセンター役物１２の後方に配置される。可動演出装置１００は、液晶画面２６の左方から上方を介して右方に亘るように配置される。
【００２９】
以下では、図４から図２３までを用いて、可動演出装置１００について説明する。
【００３０】
まず、可動演出装置１００の構成について説明する。可動演出装置１００は、主として支持部材１１０、駆動機構１２０、第一可動物１３０、第二可動物１４０及び連動機構１５０を具備する。
なお、図４から図１４までには、第二可動物１４０が第一可動物１３０内に位置する状態（以下、単に「待機状態」と称する）を示している。また、図１５から図２３までには、第二可動物１４０が第一可動物１３０の右端から突出した状態（以下、単に「出現状態」と称する）を示している。当該待機状態及び出現状態の詳細については後述する。
また、図１２、図１３、図１９及び図２０における断面図は、各部材の詳細な形状等を簡略化して示している。
【００３１】
図４及び図５に示す支持部材１１０は、可動演出装置１００を構成する種々の部材を支持するものである。支持部材１１０は、主として本体部１１１、回動支持部１１２、案内ガイド１１３、ラック１１４及び支持壁部１１５を具備する。
【００３２】
本体部１１１は、正面視において逆Ｕ字状に形成される箱状の部材である。
【００３３】
回動支持部１１２は、後述する駆動機構１２０を支持すると共に、第一可動物１３０を回動可能に支持する部材である。回動支持部１１２は板状の部材により形成される。回動支持部１１２は、本体部１１１の前面の左下部に固定される。
【００３４】
案内ガイド１１３は、後述する第一可動物１３０を案内する部分である。案内ガイド１１３は、本体部１１１の背面の左上部に形成される。案内ガイド１１３には、長孔１１３ａが形成される。
【００３５】
長孔１１３ａは、案内ガイド１１３を前後方向に貫通するように形成される。長孔１１３ａは、所定の点（後述する第一可動物１３０の回動軸１３１ａ）を中心とする円弧状に形成される。
【００３６】
ラック１１４は、案内ガイド１１３の長孔１１３ａに沿うように、すなわち円弧状になるように、当該案内ガイド１１３の前面に設けられる。ラック１１４は、その歯を下方に向けた状態で長孔１１３ａのすぐ上方に設けられる。
【００３７】
支持壁部１１５は、後述する第一可動物１３０を支持する部材である。支持壁部１１５は板状の部材により形成される。支持壁部１１５は、本体部１１１の前面の左部（回動支持部１１２の上方）に固定される。支持壁部１１５の下端部は、長孔１１３ａと同様に、所定の点（後述する第一可動物１３０の回動軸１３１ａ）を中心とする円弧状に形成される。
【００３８】
図４から図７までに示す駆動機構１２０は、後述する第一可動物１３０を移動させるためのものである。駆動機構１２０は、主としてモータ１２１、回転部材１２２及び突起部１２３を具備する。
【００３９】
図６及び図７に示すモータ１２１は、後述する第一可動物１３０を移動させるためのものである。モータ１２１は、図示しない出力軸を後方に向けた状態で、回動支持部１１２の前面に固定される。モータ１２１は、図示しない制御手段に接続され、任意のタイミングで動作可能となるように制御される。
【００４０】
回転部材１２２は、円形板状の部材である。回転部材１２２は、その板面を前後方向に向けた状態で、回動支持部１１２の背面に回転可能に支持される。回転部材１２２は、図示せぬ複数のギアを介してモータ１２１の出力軸と連結される。これによって、回転部材１２２はモータ１２１からの駆動力によって回転可能となる。
【００４１】
突起部１２３は、略円周状の部材である。突起部１２３は、回転部材１２２の背面から後方に向けて突出するように、当該回転部材１２２に固定される。
【００４２】
図６から図１２までに示す第一可動物１３０は、所定の装飾が施されると共に、移動可能に構成されるものである。第一可動物１３０は、主としてアーム１３１、ベース部材１３２、ＬＥＤ１３３、レンズカバー１３４及び保護カバー１３５を具備する。
【００４３】
図６から図８までに示すアーム１３１は、支持部材１１０に対して回動可能に支持されるものである。アーム１３１は、長手方向を上下方向に向けた細長い板状の部材により形成される。アーム１３１は、回動支持部１１２の後方かつ支持壁部１１５の前方に配置される。アーム１３１は、主として回動軸１３１ａ、長孔１３１ｂ、フランジ１３１ｃを具備する。
【００４４】
図７に示す回動軸１３１ａは、アーム１３１を回動支持部１１２に対して回動可能に連結するものである。回動軸１３１ａは、アーム１３１の下端部に設けられる。当該回動軸１３１ａを介して、アーム１３１が回動支持部１１２に対して回動可能に支持される。
【００４５】
長孔１３１ｂは、アーム１３１を前後方向に貫通するように形成される。長孔１３１ｂは、長手方向を略上下方向に向けた状態で、アーム１３１の上下中途部（駆動機構１２０の回転部材１２２と対向する部分）に形成される。長孔１３１ｂには、駆動機構１２０の突起部１２３が挿通される。
【００４６】
図７及び図８に示すフランジ１３１ｃは、円形板状の部材である。フランジ１３１ｃは、アーム１３１に形成されるリブ１３１ｄにネジによって固定される。フランジ１３１ｃは、背面視において、その上端部が支持壁部１１５の下端部と重複するように、当該支持壁部１１５のすぐ後方に配置される。このようにして、アーム１３１とフランジ１３１ｃによって支持壁部１１５が挟持され、アーム１３１が前後方向へ移動しないように（たわまないように）保持される。
【００４７】
図７、並びに図９から図１１までに示すベース部材１３２は、アーム１３１に支持される部材である。ベース部材１３２は、略矩形板状に形成される。ベース部材１３２は、その板面を前後方向に向けた状態で、長手方向を左右方向に向けて配置される。ベース部材１３２の左下部は、アーム１３１の上端部に固定される。ベース部材１３２には、溝部１３２ａ及び開口部１３２ｂが形成される。
【００４８】
図１１に示す溝部１３２ａは、ベース部材１３２を後方に向かって凹ませることで形成される部分である。溝部１３２ａは、ベース部材１３２の上下中央部に、当該ベース部材１３２の長手方向（左右方向）に延びるように形成される。
【００４９】
図７及び図１１に示す開口部１３２ｂは、溝部１３２ａに形成され、ベース部材１３２の前面と背面とを連通する部分である。開口部１３２ｂは、溝部１３２ａの右端部近傍の上部に形成される。
【００５０】
図１１に示すＬＥＤ１３３は、後述するレンズカバー１３４に光を照射するものである。ＬＥＤ１３３は、ベース部材１３２の前面の上部及び下部に、それぞれ左右に亘って固定された基板１３３ａに複数設けられる。
【００５１】
図６、図１２及び図１３に示すレンズカバー１３４は、ベース部材１３２を前方から覆う部材である。レンズカバー１３４は、略直方体かつ箱状の部材である。レンズカバー１３４の後方（背面）は開放される。レンズカバー１３４は、透過性を有する材料により形成される。レンズカバー１３４は、長手方向を左右方向に向けて配置され、ベース部材１３２を前方から覆うように、当該ベース部材１３２の前面に固定される。レンズカバー１３４の前面には所定の装飾が施される。本実施形態においては、レンズカバー１３４の前面には、剣の刃の中途部を模した装飾が施される。レンズカバー１３４には、カット部１３４ａが形成される。
【００５２】
図１２及び図１３に示すカット部１３４ａは、ＬＥＤ１３３から照射される光を適宜に拡散させるための部分である。カット部１３４ａは、レンズカバー１３４の背面（ＬＥＤ１３３と対向する面）を加工し、多数の小さな多面体状の凹凸を設けることで形成される。カット部１３４ａは、レンズカバー１３４の背面の略全域に亘って形成される。
【００５３】
図９、図１２及び図１３に示す保護カバー１３５は、ベース部材１３２（ＬＥＤ１３３）とレンズカバー１３４との間に配置される部材である。保護カバー１３５は略矩形板状に形成される。保護カバー１３５は、透過性を有する材料により形成される。保護カバー１３５は、その板面を前後方向に向けた状態で、長手方向を左右方向に向けて配置される。保護カバー１３５は、ベース部材１３２の前方かつレンズカバー１３４の後方に配置される。保護カバー１３５の長手方向（左右方向）長さは、ベース部材１３２の長手方向（左右方向）長さよりも短くなるように形成される。保護カバー１３５は、ベース部材１３２の左端部から左右中央部近傍に亘るように配置される。保護カバー１３５の上端及び下端はそれぞれ後方に向けて延出されてベース部材１３２に固定される。
【００５４】
図７、図９、図１０、図１２、図１３及び図１５に示す第二可動物１４０は、所定の装飾が施されると共に、第一可動物１３０に対して移動可能に構成されるものである。第二可動物１４０は、主としてベース部材１４１、ＬＥＤ１４２、カバー１４３、ラック１４５及び電気配線１６０を具備する。
【００５５】
図１２、図１３及び図１５に示すベース部材１４１は板状の部材である。ベース部材１４１は、長手方向を左右に向けた状態で、正面視（背面視）において右方に向かって尖った形状に形成される。ベース部材１４１は、前後方向において第一可動物１３０のベース部材１３２と保護カバー１３５との間に配置される。
【００５６】
ＬＥＤ１４２は、後述するカバー１４３に光を照射するものである。ＬＥＤ１４２は、ベース部材１４１の前面に左右に亘って固定された基板１４２ａに複数設けられる。
【００５７】
図９、図１０、図１２及び図１３に示すカバー１４３は、ベース部材１４１を前方から覆う部材である。カバー１４３は、正面視において、ベース部材１４１と同様に右方に向かって尖った形状に形成される。カバー１４３は後方（背面）が開放された箱状に形成される。カバー１４３は、透過性を有する材料により形成される。カバー１４３は、ベース部材１４１を前方から覆うように、当該ベース部材１４１の前面に固定される。カバー１４３の前面には所定の装飾が施される。本実施形態においては、カバー１４３の前面には、剣の刃の先端部近傍を模した装飾が施される。
【００５８】
図７及び図１５に示すラック１４５は、ベース部材１４１の長手方向に沿うように、すなわち直線上になるように、当該ベース部材１４１の背面に設けられる。ラック１４５は、その歯を上方に向けられる。当該ラック１４５は、第一可動物１３０のベース部材１３２に形成された溝部１３２ａ内に摺動可能に配置される。これによって、第二可動物１４０は、第一可動物１３０に対して当該溝部１３２ａの長手方向に沿うように相対的に移動可能となる。
【００５９】
図１２に示す電気配線１６０は、第二可動物１４０（より詳細には、ＬＥＤ１４２）へと電力を供給するためのものである。電気配線１６０はフラットケーブルにより構成される。電気配線１６０の一端は、ＬＥＤ１４２の基板１４２ａの端部（左端部）に接続される。当該電気配線１６０は、一旦左方へと延設された後に右方へと折り返されることで、平面視Ｕ字状に折り曲げられたＵ字状部１６０ａが形成される。電気配線１６０の他端側は、ベース部材１３２の前面に沿うように右方へと延設され、当該ベース部材１３２の右端部近傍に設けられた中継基板（不図示）に接続される。
【００６０】
図５、図７及び図１４に示す連動機構１５０は、第一可動物１３０と第二可動物１４０とを連動させるためのものである。連動機構１５０は、主として入力ピニオン１５１、伝達ピニオン群１５２、出力ピニオン１５３及びピニオン支持部材１５４を具備する。
【００６１】
入力ピニオン１５１は、第一可動物１３０の移動を回転力へと変換するためのものである。入力ピニオン１５１は、ベース部材１３２の背面の左上部に回転可能に支持される。入力ピニオン１５１は、支持部材１１０のラック１１４と歯合される。
【００６２】
また、図５に示すように、入力ピニオン１５１は、ベース部材１３２に取り付けられた状態において、案内ガイド１１３の長孔１１３ａと対向する位置に配置される。この状態で、案内ガイド１１３の後方から、入力ピニオン１５１と同軸上にフランジ１５１ａが取り付けられる。当該フランジ１５１ａは、その直径が案内ガイド１１３の長孔１１３ａの幅よりも大きい円形板状に形成される。これによって、第一可動物１３０が案内ガイド１１３の長孔１１３ａに沿うように案内されると共に、当該第一可動物１３０が前後方向へ移動しないように（たわまないように）保持される。
【００６３】
図７及び図１４に示す伝達ピニオン群１５２は、入力ピニオン１５１の回転力を伝達するためのものである。伝達ピニオン群１５２は、互いに歯合するようにして略左右方向に並べられた複数のピニオンにより構成される。伝達ピニオン群１５２は、ベース部材１３２の背面の左上部から右上部に亘って回転可能に支持される。伝達ピニオン群１５２のうち最も左に配置されたピニオンは、入力ピニオン１５１と同軸上に設けられ、当該入力ピニオン１５１と共に回転するように当該入力ピニオン１５１に連結される。
【００６４】
出力ピニオン１５３は、伝達ピニオン群１５２を介して伝達された入力ピニオン１５１の回転力を、第二可動物１４０へと伝達するためのものである。出力ピニオン１５３は、ベース部材１３２の背面の右上部、より詳細にはベース部材１３２に形成された開口部１３２ｂのすぐ上方に、回転可能に支持される。出力ピニオン１５３は、伝達ピニオン群１５２のうち最も右に配置されたピニオンに歯合される。また出力ピニオン１５３は、開口部１３２ｂを介して、第二可動物１４０のラック１４５と歯合される。
【００６５】
図７に示すピニオン支持部材１５４は、連動機構１５０を構成する各ピニオンを支持するためのものである。ピニオン支持部材１５４は略板状に形成される。ピニオン支持部材１５４は、後方から伝達ピニオン群１５２及び出力ピニオン１５３を支持した状態で、ベース部材１３２に固定される。
【００６６】
なお、ベース部材１３２は、本発明に係るベース部材の実施の一形態である。
また、ＬＥＤ１３３は、本発明に係る発光源の実施の一形態である。
また、レンズカバー１３４は、本発明に係るレンズカバーの実施の一形態である。
また、保護カバー１３５は、本発明に係る保護カバーの実施の一形態である。
また、第二可動物１４０は、本発明に係る可動物の実施の一形態である。
また、電気配線１６０は、本発明に係る電気配線の実施の一形態である。
【００６７】
以下では、上述の如く構成された可動演出装置１００の動作態様、すなわち可動演出装置１００が待機状態から出現状態へと移行する様子について説明する。
【００６８】
まず、待機状態における可動演出装置１００について説明する。
【００６９】
図７に示すように、待機状態においては、駆動機構１２０の回転部材１２２は、突起部１２３が左方に位置する回転位置に保持される。この状態においては、当該突起部１２３は、長孔１３１ｂを介してアーム１３１を所定の回動位置、すなわち当該アーム１３１の長手方向が上下方向を向く位置に保持する。この状態においては、図１４に示すように、連動機構１５０の入力ピニオン１５１はラック１１４の左端部近傍と歯合される。
【００７０】
この待機状態においては、図４及び図６に示すように、第一可動物１３０のレンズカバー１３４は、その長手方向を左右方向に向けた状態で保持される。また、図７、図９及び図１０に示すように、第二可動物１４０は第一可動物１３０に対して最も左方に移動した位置で保持される。当該第二可動物１４０は、第一可動物１３０内（ベース部材１３２とレンズカバー１３４との間）に位置する。
【００７１】
このような待機状態においては、図３に示すように、可動演出装置１００（第一可動物１３０及び第二可動物１４０）は図柄表示装置１３（液晶画面２６）の周囲に配置されている。また、可動演出装置１００はセンター役物１２の背後に配置され、パチンコ遊技機の正面に位置する遊技者から視認することはできない。
【００７２】
次に、可動演出装置１００が待機状態から出現状態へと移行する様子について説明する。
【００７３】
前記制御手段によってモータ１２１の動作が制御され、図１４に示す回転部材１２２が背面視反時計回りに回転されると、図１５に示すように、当該回転部材１２２の回転に伴って突起部１２３が右方へと移動する。突起部１２３が右方へと移動すると、当該突起部１２３によってアーム１３１が右方へと押され、当該アーム１３１が回動軸１３１ａを中心に背面視反時計回りに回動する。
【００７４】
この際、図１６に示すように、アーム１３１に設けられたフランジ１３１ｃは、当該アーム１３１との間に支持壁部１１５の下端部を挟持した状態で、当該支持壁部１１５の下端部に沿って移動する。このため、アーム１３１が回動する際にも、常にフランジ１３１ｃによってアーム１３１が前後方向へ移動しないように（たわまないように）保持される。
【００７５】
このようにアーム１３１が回動することによって、図１７に示すように、第一可動物１３０全体が案内ガイド１１３に沿って円弧状に移動することになる。
【００７６】
第一可動物１３０が案内ガイド１１３に沿って移動する際には、図１５に示すように、入力ピニオン１５１がラック１１４によって背面視時計回りに回転される。当該入力ピニオン１５１の回転力は、伝達ピニオン群１５２を介して出力ピニオン１５３に伝達され、当該出力ピニオン１５３が背面視時計回りに回転される。
【００７７】
出力ピニオン１５３が背面視時計回りに回転すると、当該出力ピニオン１５３の回転力によって第二可動物１４０のラック１４５が右方（より正確には、ベース部材１３２の長手方向における右側）へ移動され、ひいては第二可動物１４０全体が第一可動物１３０に対して右方へと直線的に移動する。
【００７８】
このように、第一可動物１３０が円弧状に移動すると、当該移動に伴って第二可動物１４０が第一可動物１３０に対して直線的に移動することになる（図１７参照）。
【００７９】
図１８から図２０までに示すように、第二可動物１４０が第一可動物１３０に対して直線的に右方へと移動する際には、電気配線１６０の一端が右方へと引っ張られることになる。しかし、当該電気配線１６０はＵ字状部１６０ａにおいて折り返されているため、当該Ｕ字状部１６０ａが第二可動物１４０の移動に追従して移動する。これによって、第二可動物１４０が第一可動物１３０に対して移動したとしても、電気配線１６０が無理に引っ張られて当該電気配線１６０に過剰な負荷（張力）が加わることはない。
【００８０】
ここで、電気配線１６０のＵ字状部１６０ａは、第一可動物１３０のベース部材１３２と保護カバー１３５との間を移動することになる。すなわち、電気配線１６０のＵ字状部１６０ａは、移動する際にレンズカバー１３４のカット部１３４ａと接触することがない。このように、保護カバー１３５によって電気配線１６０のＵ字状部１６０ａとレンズカバー１３４のカット部１３４ａとが接触しないように区分けされるため、当該カット部１３４ａの凹凸によって電気配線１６０が損傷するのを防止することができる。
【００８１】
また、図１９、図２１及び図２２に示すように、第二可動物１４０が第一可動物１３０に対して最も右方へと移動した場合には、電気配線１６０のＵ字状部１６０ａは、ベース部材１３２の長手方向（左右方向）中央部まで移動する。しかし、保護カバー１３５はベース部材１３２の左端部から左右中央部近傍に亘るように配置されているため、電気配線１６０のＵ字状部１６０ａが移動しても、当該Ｕ字状部１６０ａがレンズカバー１３４のカット部１３４ａと接触しないように常に保護することができる。
【００８２】
図２３に示すように、第一可動物１３０及び第二可動物１４０の移動が完了した状態（出現状態）においては、当該第一可動物１３０のレンズカバー１３４及び第二可動物１４０のカバー１４３によって、剣の刃を模した１つのキャラクタが形作られることになる。また、当該剣の刃は、センター役物１２のセンター開口部２７の左上端部から右下部に亘って配置されることになる。このように、可動演出装置１００が出現状態になると、第一可動物１３０及び第二可動物１４０が液晶画面２６と重なる位置（液晶画面２６の前）に移動し、パチンコ遊技機の正面にいる遊技者に、剣の刃を視認させることができる。さらに、第一可動物１３０のＬＥＤ１３３及び第二可動物１４０のＬＥＤ１４２を点灯させたり点滅させたりすることによって、当該剣の刃を発光させることができ、より遊技者の興趣を高めることができる。
【００８３】
上述の如く、可動演出装置１００が待機状態から出現状態へと移行し、第一可動物１３０及び第二可動物１４０によって１つのキャラクタ（剣の刃）が形作られる際には、第一可動物１３０（レンズカバー１３４）は円弧状に移動しながら、そして、第二可動物１４０（カバー１４３）は当該第一可動物１３０に対して直線的に移動しながら、センター役物１２の背後からセンター開口部２７に出現することになる。このように、円弧状に移動する第一可動物１３０と直線的に延びる第二可動物１４０によって、１つのキャラクタ（剣の刃）がセンター役物１２の背後から勢い良く飛び出すような動きを表現することができる。
【００８４】
また、第一可動物１３０の円弧状の移動と、第二可動物１４０の直線的な移動とを組み合わせることで、全体として複雑な動きをさせることができ、当該第一可動物１３０及び第二可動物１４０の動きを遊技者に認識され難くすることができる。これによって、遊技者に、第一可動物１３０及び第二可動物１４０によって形作られる大きな１つのキャラクタ（剣の刃）がそのままの形でセンター役物１２の背後から飛び出してきたような印象を与えることができる。
【００８５】
以上の如く、本実施形態に係るパチンコ遊技機（遊技機）の可動演出装置１００は、ベース部材１３２と、ベース部材１３２に設けられるＬＥＤ１３３（発光源）と、ベース部材１３２のＬＥＤ１３３が設けられる側を覆うように設けられ、ＬＥＤ１３３と対向する面に光を拡散させるためのカット部１３４ａが形成されるレンズカバー１３４と、ベース部材１３２及びレンズカバー１３４に対して相対的に移動可能な第二可動物１４０（可動物）とを具備する遊技機の可動演出装置１００であって、第二可動物１４０は電気配線１６０を有し、電気配線１６０は、Ｕ字状に折り曲げられたＵ字状部１６０ａを有すると共に、第二可動物１４０の移動に伴ってＵ字状部１６０ａがベース部材１３２とレンズカバー１３４との間を移動するように配置され、移動するＵ字状部１６０ａがカット部１３４ａと接触しないように、Ｕ字状部１６０ａとカット部１３４ａとの間に配置される保護カバー１３５をさらに具備するものである。
このように構成することにより、電気配線１６０を適切に配置することができる。すなわち、電気配線１６０のＵ字状部１６０ａの過度な膨らみを抑えることができ、特に、当該電気配線１６０がレンズカバー１３４のカット部１３４ａと接触することによって損傷するのを防止することができる。
特に本実施形態においては、保護カバー１３５は前方、上方及び下方から電気配線１６０を覆うように配置されているため（図２０等参照）、当該電気配線１６０がカット部１３４ａだけでなくその他の部材（例えば、電気配線１６０の上下方向に位置するレンズカバー１３４の上下両側面や、その他保護カバー１３５の外部に配置される部材）と接触するのを防止することもできる。
【００８６】
なお、本発明に係るベース部材、レンズカバー、可動物及び保護カバーの形状は、本実施形態に係るベース部材１３２、レンズカバー１３４、第二可動物１４０及び保護カバー１３５の形状に限るものではなく、任意の形状に形成することが可能である。
【００８７】
また、本発明に係るレンズカバーに形成されるカット部の形状、及び当該カット部が形成される範囲は、本実施形態に係るカット部１３４ａの形状及び範囲に限るものではなく、任意の形状及び範囲に形成することが可能である。
【００８８】
また、本実施形態においては、第二可動物１４０はベース部材１３２とレンズカバー１３４（より詳細には、保護カバー１３５）との間に移動可能に配置される構成としたが、本発明はこれに限るものではない。すなわち、本発明に係る可動物は、ベース部材１３２及びレンズカバー１３４に対して相対的に移動可能であれば、その配置を限定するものではない。例えば、第二可動物を第一可動物の外部に配置することも可能である。
【００８９】
また、本発明に係る電気配線の形状は、本実施形態に係る電気配線１６０の形状に限るものではない。すなわち、電気配線は、フラットケーブルに限らず、例えば略円形断面を有するものであっても良い。
【００９０】
また、本実施形態においては電気配線１６０を第一可動物１３０のベース部材１３２とレンズカバー１３４との間に配置する構成としたため、ベース部材１３２に固定されたＬＥＤ１３３を光らせた場合、電気配線１６０の影がレンズカバー１３４に映ってしまうおそれがある。そこで、このように電気配線１６０の影がレンズカバー１３４に映るのを防止するための構成として、図２４及び図２５に示すような変形例が考えられる。以下、各変形例について説明する。
【００９１】
図２４（ａ）に示すように、レンズカバー１３４の上側面の内側にＬＥＤ１３６を設け、保護カバー１３５とレンズカバー１３４との間の空間に向かって光を照射する。これによって、レンズカバー１３４に電気配線１６０の影が映るのを防止することができる。
【００９２】
また、図２４（ｂ）に示すように、ＬＥＤ１３６を保護カバー１３５に対向する位置に配置して、当該保護カバー１３５に向かって光を照射する構成とすることも可能である。これによって、保護カバー１３５に電気配線１６０の影が映るのを防止することができ、ひいてはレンズカバー１３４に影が映るのを防止することができる。
【００９３】
また、図２４に示した変形例では、図２５（ａ）に示すように、保護カバー１３５と対向する部分（保護カバー１３５の上方）にＬＥＤ１３６を配置し、正面視において保護カバー１３５が有る部分に向かって光を照射する構成とした。しかし、ＬＥＤ１３６の配置はこれに限るものではなく、図２５（ｂ）に示すように、保護カバー１３５と対向しない部分にＬＥＤ１３６を配置し、保護カバー１３５の無い部分に向かって光を照射する構成とすることも可能である。
なお、図２５においては、説明の便宜上、第一可動物１３０のレンズカバー１３４の図示を省略している。
【００９４】
なお、以上の如く構成された変形例において、保護カバー１３５は前方、上方及び下方から電気配線１６０を覆うように配置されているため（図２４参照）、当該電気配線１６０がその上方に配置されたＬＥＤ１３５等と接触するのを防止することもできる。
【符号の説明】
【００９５】
１００：可動演出装置，１３０：第一可動物，１３２：ベース部材，１３３：ＬＥＤ，１３４：レンズカバー，１３４ａ：カット部，１３５：保護カバー，１４０：第二可動物，１６０：電気配線，１６０ａ：Ｕ字状部
【図１】
2015051080.tif 000003
【図２】
2015051080.tif 000004
【図３】
2015051080.tif 000005
【図４】
2015051080.tif 000006
【図５】
2015051080.tif 000007
【図６】
2015051080.tif 000008
【図７】
2015051080.tif 000009
【図８】
2015051080.tif 000010
【図９】
2015051080.tif 000011
【図１０】
2015051080.tif 000012
【図１１】
2015051080.tif 000013
【図１２】
2015051080.tif 000014
【図１３】
2015051080.tif 000015
【図１４】
2015051080.tif 000016
【図１５】
2015051080.tif 000017
【図１６】
2015051080.tif 000018
【図１７】
2015051080.tif 000019
【図１８】
2015051080.tif 000020
【図１９】
2015051080.tif 000021
【図２０】
2015051080.tif 000022
【図２１】
2015051080.tif 000023
【図２２】
2015051080.tif 000024
【図２３】
2015051080.tif 000025
【図２４】
2015051080.tif 000026
【図２５】
2015051080.tif 000027